(57)【要約】【課題】通常動作状態から待機モード状態に変化させた場合に、画質劣化を生じさせず、かつ、十分に消費電力を低減させるようにした表示装置を提供する。【解決手段】通常動作状態であるか、待機状態であるかを示す待機モード信号ＳＴＢに基づいて、待機状態に移行したと判断した場合には、タイミング生成回路４の内部クロックおよびカウンタの動作を停止させるとともに、液晶セル３１に与える交流信号（ＷＲ，Ｖｃｏｍ，ＨＬＤ）の反転タイミングを遅延させるように構成した。【選択図】図１
2006171301.tif 000002
【特許請求の範囲】
【請求項１】
画素がマトリクス状に配置される表示部と、
前記表示部の各行に対して水平期間毎に順次転送される垂直シフトパルスを生成する垂直駆動部と、
前記垂直駆動部により指定された行に対して、前記表示部の各列の画素に対する書き込みを許可するための書き込み許可信号を生成する第１信号生成部と、
水平期間毎に極性が反転する書き込み信号および共通電位を生成する第２信号生成部と、
前記書き込み許可信号に同期したタイミングで、前記書き込み信号および前記共通電位を画素に与える水平駆動部と、
書き込み対象が前記表示部の表示領域から非表示領域へ移行したことを条件として、前記書き込み信号および前記共通電位の反転タイミングを遅延させる反転遅延部と、
を備えた表示装置。
【請求項２】
前記第１信号生成部は、基準クロックを計数するためのカウンタを含み、
書き込み対象が前記表示部の表示領域から非表示領域へ移行した場合には、前記反転タイミングを遅延させた後に、前記カウンタを停止させる
請求項１記載の表示装置。
【請求項３】
書き込み対象が前記表示部の表示領域であるか否かを示す待機モード信号が与えられ、
前記反転遅延部は、当該待機モード信号に基づいて、前記反転タイミングを遅延させるか否かを判断する
請求項１記載の表示装置。
【請求項４】
前記反転遅延部は、水平同期信号に同期して第１反転信号を生成し、当該第１反転信号と、第１反転信号を遅延させた第２反転信号とのいずれかを、前記待機モード信号に基づいて選択的に前記第２信号生成部に与え、
第２信号生成部は、反転遅延部から与えられる反転信号に同期して、前記書き込み信号および前記共通電位を反転させる
請求項３記載の表示装置。
【請求項５】
前記反転遅延部は、複数のゲート回路からなる遅延素子を含む
請求項４記載の表示装置。
【請求項６】
画素がマトリクス状に配置される表示部を有する表示装置であって、
水平期間毎に前記表示部の各行を順次選択する行選択手段と、
水平期間毎に書き込み信号を交流反転させる信号反転手段と、
前記行選択手段により選択された行の各画素に対して、水平期間内に、交流反転された書き込み信号を与える書き込み手段と、
書き込み対象が前記表示部の表示領域から非表示領域へ移行したことを条件として、前記書き込み手段の書き込み期間と、前記書き込み信号が反転する期間とが重ならないように、前記書き込み期間を遅延させる遅延手段と、
を備えた表示装置。
【発明の詳細な説明】
【技術分野】
【０００１】
本発明は、画素がマトリクス状に配置されてなる表示部を有する表示装置、特に、当該表示部と同じ透明絶縁基板上などに、当該表示部を駆動する周辺の駆動回路を一体的に搭載する駆動回路一体型表示装置に関する。
【背景技術】
【０００２】
液晶表示装置やＥＬ（electroluminescence）表示装置に代表されるフラットパネル型表示装置の分野では、近年、パネルの狭額縁化、薄型化を図るために、画素がマトリクス状に配置される表示部と同じ透明絶縁基板上に、当該表示部を駆動する周辺の駆動回路を一体的に搭載するいわゆる駆動回路一体型の表示装置の開発が進められている。
液晶表示装置やＥＬ表示装置においては、画素トランジスタとしてＴＦＴが用いられていることから、駆動回路を透明絶縁基板上に搭載するに当たっては当該駆動回路もＴＦＴを用いて形成されることになる。
【０００３】
このような駆動回路一体型の表示装置において、駆動回路を動作させるための各種のタイミング信号を生成するタイミング生成回路を、ガラス基板などの絶縁基板上に素子特性のばらつきが大きく、閾値Ｖｔｈが高いトランジスタ、例えば薄膜トランジスタ(Thin Film Transistor;ＴＦＴ)で形成するとした場合、タイミング生成回路に与えられるマスタクロックの周波数が高い場合には、タイミング生成回路内のカウンタの動作マージンがなくなることが懸念される。また、高い周波数でカウンタを動作させると、タイミング生成回路で消費する電力が大きくなる。
【０００４】
そこで、たとえば下記特許文献１には、タイミング生成回路において、マスタクロックよりも遅い周波数の動作クロックを生成し、この生成された周波数の遅い動作クロックに基づいて複数のタイミング信号を発生することによって、動作スピードが遅くて済むため安定した動作を可能とし、かつ、消費電力を低減させたタイミング生成回路、表示装置に関する技術が開示されている。
【０００５】
【特許文献１】特開２００３−３４５４５７号公報
【発明の開示】
【発明が解決しようとする課題】
【０００６】
ところで、従来の表示装置では、当該表示装置を搭載する電子機器本体側の通常消費電力状態と低消費電力状態の切り換えに応じて、通常動作モードと待機モード（スタンバイモード）に切り換える機能を有しているものがある。待機モードでは、電子機器本体側から電源電圧の供給を受けている状態のまま、ディスプレイの表示を必要最低限に抑制するため、表示装置の消費電力を低減することができる。
【０００７】
しかしながら、従来の待機モードでは、表示装置側において消費電力を抑制する手段が不十分であるため、待機モードで十分な節電効果を得るに至っておらず、これが解決すべき課題となっている。
以下、この課題について、添付図面に関連付けて説明する。
【０００８】
図１は、本発明の一実施形態の構成を示す図であるが、基本的な構成は、従来の表示装置と同様である。すなわち、図１に示すように、従来の表示装置についても、表示部において画素がマトリクス状に配置され、この表示部の各行が画素スイッチパルスＰＳＷにより順次選択され、選択された行の各列の画素に対して画素書き込み信号ＷＲが与えられる構成となっている。
【０００９】
図９は、従来の表示装置において、通常動作モードから待機モードに変化した場合の動作を示すタイミングチャートであり、（ａ）は待機モード信号ＳＴＢ、（ｂ）はタイミング生成回路内のカウンタ動作、（ｃ）は水平同期信号Ｈｓｙｎｃ、（ｄ）は書き込みイネーブル信号ＷＥＮ、（ｅ）〜（ｈ）は表示部の各行の垂直シフトパルスＶＳＰ、（ｉ）〜（ｌ）は表示部の各行の画素スイッチパルスＰＳＷ、（ｍ）は画素書き込み信号ＷＲ、（ｎ）は対向電位Ｖｃｏｍ（共通電位）、を示す。
図１０は、従来の表示装置における画質劣化を説明するための図であり、（ａ）は画素スイッチ信号ＰＳＷ、（ｂ）は画素書き込み信号ＷＲ、を示す。
【００１０】
図９に示すタイミングチャートは、表示装置を１Ｈ反転駆動（Ｈは水平期間）させた場合の例であって、図９（ｍ），（ｎ）に示すように、表示パネル内の画素に対する画素書き込み信号ＷＲと、その書き込みの基準電位となる対向電位Ｖｃｏｍとが１Ｈ毎に反転した交流駆動を行っている。そして、図９（ｉ）〜（ｌ）に示すように、書き込みイネーブル信号ＷＥＮと垂直シフトパルスＶＳＰがともにハイレベルであることを条件として、画素スイッチ信号ＰＳＷがハイレベルとなり、その期間に表示部の各列の画素に画素書き込み信号ＷＲが与えられる。これにより、画素書き込み信号ＷＲおよび対向電位Ｖｃｏｍが反転しない安定した期間において、表示部への書き込みが行われる。
【００１１】
しかしながら、時刻ｔ１に通常動作モードから待機モードに変化した後、タイミング生成回路内のカウンタを停止させた場合には（時刻ｔ２）、それ以降タイミング生成回路が書き込みイネーブル信号ＷＥＮを生成できないため、図９（ｌ）〜（ｎ）に示すように、画素スイッチ信号ＰＳＷのレベル変化のタイミングと、画素書き込み信号ＷＲおよび対向電位Ｖｃｏｍが反転するタイミングとが重なってしまう。
これにより、図１０に示すように、画素書き込み信号ＷＲおよび対向電位Ｖｃｏｍが反転中の電位を画素が取り込むことになって、予期しない電位で画素電位が確定するため、画質が劣化する。
【００１２】
それゆえ、従来の表示装置では、画質を劣化させないようにするため、通常動作モードから待機モードに変化した場合であっても、タイミング生成回路内のカウンタを停止させることができず、待機モードにおいて十分に消費電力を低減させることができなかった。
【００１３】
本発明は上述した観点を鑑みてなされたものであって、その目的は、通常動作状態から待機モード状態に変化させた場合に、画質劣化を生じさせず、かつ、十分に消費電力を低減させるようにした表示装置を提供することにある。
【課題を解決するための手段】
【００１４】
上記課題を克服するために、本発明は、画素がマトリクス状に配置される表示部と、前記表示部の各行に対して水平期間毎に順次転送される垂直シフトパルスを生成する垂直駆動部と、前記垂直駆動部により指定された行に対して、前記表示部の各列の画素に対する書き込みを許可するための書き込み許可信号を生成する第１信号生成部と、水平期間毎に極性が反転する書き込み信号および共通電位を生成する第２信号生成部と、前記書き込み許可信号に同期したタイミングで、前記書き込み信号および前記共通電位を画素に与える水平駆動部と、書き込み対象が前記表示部の表示領域から非表示領域へ移行したことを条件として、前記書き込み信号および前記共通電位の反転タイミングを遅延させる反転遅延部と、を備えた表示装置である。
【００１５】
好適には、前記第１信号生成部は、基準クロックを計数するためのカウンタを含み、書き込み対象が前記表示部の表示領域から非表示領域へ移行した場合には、前記反転タイミングを遅延させた後に、前記カウンタを停止させる。
【００１６】
特定的には、書き込み対象が前記表示部の表示領域であるか否かを示す待機モード信号が与えられ、前記反転遅延部は、当該待機モード信号に基づいて、前記反転タイミングを遅延させるか否かを判断する。
【００１７】
特定的には、前記反転遅延部は、水平同期信号に同期して第１反転信号を生成し、当該第１反転信号と、第１反転信号を遅延させた第２反転信号とのいずれかを、前記待機モード信号に基づいて選択的に前記第２信号生成部に与え、第２信号生成部は、反転遅延部から与えられる反転信号に同期して、前記書き込み信号および前記共通電位を反転させる。
【００１８】
本発明の作用は以下の通りである。
すなわち、垂直駆動部が、表示部の各行に対して水平期間毎に順次転送される垂直シフトパルスを生成し、第１信号生成部が、その垂直シフトパルスにより指定された行に対して、表示部の各列の画素に対する書き込みを許可するための書き込み許可信号を生成する。第２信号生成部は、水平期間毎に極性が反転する書き込み信号および共通電位を生成する。そして、水平駆動部は、その書き込み許可信号に同期したタイミングで、第２信号生成部により生成された書き込み信号および共通電位を画素に与える。
【００１９】
その際、書き込み対象が前記表示部の表示領域から非表示領域へ移行したことを条件として、反転遅延部は、書き込み信号および基準電位の反転タイミングを遅延させる。
そして、好適には、第１信号生成部は、基準クロックを計数するためのカウンタを含み、前記反転タイミングを遅延させた後に、当該カウンタを停止させる。
【発明の効果】
【００２０】
本発明によれば、通常動作状態から待機モード状態に変化させた場合に、画質劣化を生じず、かつ、十分に消費電力を低減させることができる。
【発明を実施するための最良の形態】
【００２１】
以下、本発明の実施形態を添付図面に関連付けて説明する。
なお、表示部３は、本発明の表示部の一実施形態である。
タイミング生成回路４は、本発明の第１信号生成部および反転遅延部、遅延手段の一実施形態である。
垂直駆動回路５は、本発明の垂直駆動部、行選択手段の一実施形態である。
基準信号生成回路６および対向・保持信号生成回路８は、本発明の第２信号生成部、信号反転手段の一実施形態である。
水平駆動回路７は、本発明の水平駆動部、書き込み手段の一実施形態である。
【００２２】
図１は、本発明に係る表示装置、例えば液晶表示装置１の構成例を示すブロック図である。図１において、透明絶縁基板、例えばガラス基板上に、画素がマトリクス状に配置された表示部３が形成されている。かかるガラス基板は、もう一枚のガラス基板と所定の間隙を持って対向配置され、両基板間に液晶材料を封止することで表示パネル（ＬＣＤパネル）を構成している。
【００２３】
表示部３において、マトリクス状に配置された画素の各々は、画素トランジスタであるＴＦＴ(Thin Film Transistor;薄膜トランジスタ)３２と、このＴＦＴ３２のドレイン電極に画素電極が接続された液晶セル３１と、ＴＦＴ３２のドレイン電極に一方の電極が接続された保持容量３３とを有する構成となっている。ここで、液晶セル３１は、画素電極とこれに対向して形成される対向電極との間で発生する液晶容量を意味する。
【００２４】
この画素構造において、ＴＦＴ３２はゲート電極がゲート線（走査線）３４に接続され、ソース電極がデータ線（信号線）３５に接続されている。液晶セル３１の対向電極がＶｃｏｍ線３６に対して各画素共通に印加されている。そして、液晶セル３１の対向電極には、Ｖｃｏｍ線３６を介して対向電位Ｖｃｏｍ（共通電位）が各画素共通に与えられる。保持容量３３は他方の電極（対向電極側の端子）が保持信号線３７に対して各画素共通に接続され、保持信号ＨＬＤが印加される。
【００２５】
ここで、液晶セル３１は一般に交流駆動される。すなわち、データ線３５を介して液晶セル３１に書き込まれる画素書き込み信号ＷＲは周期的に極性が反転する。これに合わせて、液晶セル３１の対向電位Ｖｃｏｍも周期的に極性反転する必要がある。ここで、液晶セル３１やこれをスイッチング駆動するＴＦＴ３２には、極性に関し非対称性がある。このため、画素電極側と対向電極側で中心レベルを合わせておくと、極性に関する非対称性が表われて、焼付きなど画品位の劣化が生じる。この対策として、画素書き込み信号ＷＲに対し対向電位Ｖｃｏｍを所定電圧分だけオフセットし、極性に関する非対称性を打ち消すことが行われている。
なお、保持容量３３も、液晶セル３１の交流駆動に合わせて、交流動作させる必要がある。このため、各保持容量３３に共通接続された保持信号線３７に、同様に、所定の周期で極性反転する保持信号ＨＬＤを印加する必要がある。
【００２６】
図１において、表示部３と同じガラス基板上には、たとえば、表示部３の上側にインタフェース（Ｉ／Ｆ）回路２および対向・保持信号生成回路８が、表示部３の左側にタイミング生成回路４および基準信号生成回路６が、表示部３の下側に水平駆動回路７が、表示部３の右側に垂直駆動回路５が、がそれぞれ搭載されている。これら周辺の駆動回路は、表示部３の画素トランジスタと共に、低温ポリシリコンあるいはＣＧ(Continuous Grain;連続粒界結晶)シリコンを用いて作製される。
【００２７】
インタフェース回路２は、液晶表示装置１が搭載される電子機器本体（セットと称する）側から、マスタクロックＭＣＫ、パラレル入力の表示データ、同期信号（水平同期信号Ｈｓｙｎｃ，垂直同期信号Ｖｓｙｎｃ）、待機モード信号ＳＴＢが入力される。
なお、待機モード信号ＳＴＢは、通常の表示動作状態が要求されている場合には「１」（ハイレベル）、セット側から待機状態が要求されている場合には「０」（ロウレベル）、となる信号である。
【００２８】
図２は、通常動作状態および待機状態での表示部３の表示状態を図解した図である。
図２に示すように、待機状態では、表示部３の特性に応じて黒（図２（ａ））または白（図２（ｂ））の非表示領域となる。
【００２９】
再び図１の説明に戻る。
タイミング生成回路４では、マスタクロックＭＣＫ、同期信号、待機モード信号ＳＴＢに基づいて、垂直駆動回路５、基準信号生成回路６、水平駆動回路７、対向・保持信号生成回路８を駆動するため必要な各種のタイミング信号を生成する。
タイミング生成回路４の構成については、後述する。
【００３０】
基準信号生成回路６は、表示データのビットに応じたアナログ電位を選択して水平駆動回路７に供給する。たとえば、表示データが６ビットで６４階調である場合には、ラダー抵抗によって電源電圧を分圧して生成された、基準電位となる６４階調のアナログ電位ＲＥＦを水平駆動回路７に供給する。
その際、画素書き込み信号ＷＲは交流駆動されるため、基準信号生成回路６で生成するアナログ電位も所定周期（たとえば、１Ｈ）で極性を反転させる必要がある。そして、基準信号生成回路６では、タイミング生成回路４から与えられる反転信号ＲＥＶに同期して、アナログ電位の極性を反転させる。
【００３１】
水平駆動回路７は、たとえば、図示しない水平シフトレジスタ、データサンプリングラッチ回路およびＤＡ（デジタル−アナログ）変換回路により構成される。
水平シフトレジスタは、タイミング生成回路４から供給される水平スタートパルスＨＳＴに応答してシフト動作を開始し、同じくタイミング生成回路４から供給される水平クロックパルスＨＣＫに同期して１水平期間に順次転送していくサンプリングパルスを生成する。
データサンプリングラッチ回路は、水平シフトレジスタで生成されたサンプリングパルスに同期して、インタフェース回路２から供給される表示データを１水平期間で順次サンプリングしラッチする。このラッチされた１ライン分のデジタルデータは、ＤＡ変換回路でアナログ表示信号に変換される。
ＤＡ変換回路は、基準信号生成回路６から与えられる階調数分の基準電圧ＲＥＦの中から、デジタルデータに対応した基準電圧を選択し、アナログ表示信号として画素書き込み信号ＷＲを出力する。
【００３２】
垂直駆動回路５は、図示しない垂直シフトレジスタおよびゲートバッファによって構成される。
垂直シフトレジスタは、タイミング生成回路４から供給される垂直スタートパルスＶＳＴに応答してシフト動作を開始し、同じくタイミング生成回路４から供給される垂直クロックパルスＶＣＫに同期して１垂直期間に順次転送していく垂直シフトパルスＶＳＰを生成する。
また、垂直駆動回路５には、タイミング生成回路４から、垂直シフトパルスＶＳＰよりパルス幅の短い書き込みイネーブル信号ＷＥＮが供給される。そして、垂直駆動回路５は、順次転送される垂直シフトパルスＶＳＰと書き込みイネーブル信号ＷＥＮのパルスがともにハイレベルであるタイミングで、画素スイッチ信号ＰＳＷを生成する。
この生成された画素スイッチ信号ＰＳＷは、表示部３２の各行に配線されたゲート線にゲートバッファを通して順次出力される。
【００３３】
この垂直駆動回路５による垂直走査により、画素スイッチ信号ＰＳＷが各行のゲート線に順次出力されると、表示部３の各画素が行単位で順に選択される。そして、この選択された１ライン分の画素に対して、水平駆動回路７のＤＡ変換回路から出力される１ライン分の画素書き込み信号ＷＲがデータ線３５を経由して一斉に書き込まれる。このライン単位の書き込み動作が繰り返されることにより、１画面分の画表示が行われる。
【００３４】
対向・保持信号生成回路８は、先述した保持信号ＨＬＤを生成し、保持信号線３７を介して保持容量３３の他方の電極に対して各画素共通に与える。
ここで、たとえば１Ｈ反転駆動を採用する場合には、保持信号ＨＬＤは、画素書き込み信号ＷＲに合わせて１Ｈ毎に極性を反転させた交流反転を繰り返すことになる。
【００３５】
対向・保持信号生成回路８は、先述した対向電位Ｖｃｏｍを生成する。対向電位Ｖｃｏｍは、対向接続電極９を介して、画素３３の対向電極に接続されるＶｃｏｍ線３６に共通に与えられる。
ここで、対向電位Ｖｃｏｍとしては、保持信号ＨＬＤとほぼ同じ振幅の交流電圧が用いられる。ただし、実際には、図１において、データ線３５からＴＦＴ３２を通して液晶セル３１の画素電極に信号を書き込む際に、寄生容量などに起因してＴＦＴ３２で電圧降下が生じることから、対向電位Ｖｃｏｍとしては、その電圧降下分だけＤＣシフトした交流電圧を用いる必要がある。
【００３６】
また、対向・保持信号生成回路８は、タイミング生成回路４から反転信号ＲＥＶが供給され、この反転信号ＲＥＶに同期して、保持信号ＨＬＤおよび対向電位Ｖｃｏｍを反転させる。
【００３７】
上記した構成の液晶表示装置１では、表示部３と同一のパネル（ガラス基板）上に、水平駆動回路７および垂直駆動回路５に加えて、インタフェース回路２、タイミング生成回路４、基準信号生成回路６、対向・保持信号生成回路８などの周辺の駆動回路を一体的に搭載したことにより、全駆動回路一体型の表示パネルを構成でき、外部に別の基板やＩＣ、トランジスタ回路を設ける必要がないため、システム全体の小型化および低コスト化が可能になる。
【００３８】
次に、タイミング生成回路４の構成について、図３に関連付けて説明する。
図３は、タイミング生成回路４の構成例を示すブロック図である。
【００３９】
図３に示すように、タイミング生成回路４は、内部クロック生成回路４１、カウンタ（ＣＴＲ）４２、水平駆動信号生成回路４３、垂直駆動信号生成回路４４、反転タイミング調整回路４５から構成される。
【００４０】
内部クロック生成回路４１は、マスタクロックＭＣＫを分周してマスタクロックＭＣＫより低い周波数の内部クロック信号を生成する。内部クロック信号には、水平用の内部クロック信号（水平クロック）Ｓ４１＿Ｈと、垂直用の内部クロック信号（垂直クロック）Ｓ４１＿Ｖとが含まれる。この内部クロック信号は、カウンタ４２を動作させるためのベース信号となる。
【００４１】
水平駆動信号生成回路４３および垂直駆動信号生成回路４４は、カウンタ４２を動作させ、駆動に必要な各種信号を生成する。
水平駆動信号生成回路４３は、水平クロックパルスＨＣＫ、水平スタートパルスＨＳＴおよび書き込みイネーブル信号ＷＥＮを生成する。
垂直駆動信号生成回路４４は、垂直クロックパルスＶＣＫおよび垂直スタートパルスＶＳＴを生成する。
【００４２】
また、垂直駆動信号生成回路４４は、垂直クロック信号Ｓ４１＿Ｖに基づいて、カウンタ４２によらずに、上記垂直クロックパルスＶＣＫおよび垂直スタートパルスＶＳＴを生成することができる。
【００４３】
反転タイミング調整回路４５は、カウンタ４２を動作させて、基準信号生成回路６および対向・保持信号生成回路８に供給する反転信号ＲＥＶを生成する。たとえば、１Ｈ反転駆動の場合には、反転信号ＲＥＶは、１水平期間毎に反転する信号となる。
また、反転タイミング調整回路４５は、待機モード信号ＳＴＢに基づいて、反転信号ＲＥＶの反転タイミングを遅延させるか否かを判断する。これにより、後述するように、通常動作モードから待機モードに変化した場合であっても、反転による極性の切り替わりのタイミングで画素電位が予期しない値に確定することが回避される。
【００４４】
また、タイミング生成回路４では、通常動作モードから待機モードに変化したと判断した場合、一定期間経過後に、内部クロック生成回路４１の水平クロック生成部と、カウンタ４２とを停止させる。これにより、消費電力を低減する。
なお、上記一定期間は、後述する反転タイミング調整回路４５の遅延量に応じて、設定される。
【００４５】
図４は、反転タイミング調整回路４５において、反転信号ＲＥＶを遅延させる部分の回路構成例を示す図である。
図４において、反転信号Ｐ＿ＲＥＶは、通常動作モードに対応した反転信号であって、たとえば、１Ｈ反転駆動の場合には、反転信号Ｐ＿ＲＥＶは、１水平期間毎に反転する信号となる。
そして、反転タイミング調整回路４５は、遅延回路４５１、スイッチ４５２、バッファ４５３を含んで構成される。遅延回路４５１は、ＴＦＴによるゲート回路と、抵抗およびキャパシタからなる微分回路とを含む。なお、ゲート回路の段数と、抵抗およびキャパシタの特性に応じて、遅延量を適宜設定できることは言うまでもない。
【００４６】
図４に示す回路では、待機モード信号ＳＴＢのレベルに応じて、スイッチ４５２は、接点Ｃ１もしくはＣ２のいずれかを選択する。
そして、待機モード信号ＳＴＢが「１」の場合、すなわち、通常動作モードの場合には、接点Ｃ１が選択される。これにより、反転信号Ｐ＿ＲＥＶは、そのまま反転信号ＲＥＶとして出力される。
また、待機モード信号ＳＴＢが「０」の場合、すなわち、待機モードの場合には、接点Ｃ２が選択される。これにより、反転信号Ｐ＿ＲＥＶは、遅延回路４５１により所定時間遅延されて反転信号ＲＥＶとして出力される。
【００４７】
なお、反転信号Ｐ＿ＲＥＶを遅延させる方法は、図４に示した回路図に限られない。
図５は、反転タイミング調整回路４５において、反転信号ＲＥＶを遅延させる部分の他の回路構成例を示す図である。
図５（ａ）は、遅延回路４５１をゲート回路とキャパシタにより構成した回路を、図５（ｂ）は、遅延回路４５１をゲート回路と抵抗により構成した回路を、図５（ｂ）は、遅延回路４５１をゲート回路のみで構成した回路を、それぞれ示す。
いずれの場合にも、反転信号Ｐ＿ＲＥＶを遅延させることが可能である。
【００４８】
次に、液晶表示装置１の表示動作について説明する。
【００４９】
図６は、実施形態に係る液晶表示装置１において、通常動作モードでの動作を示すタイミングチャートであり、（ａ）は待機モード信号ＳＴＢ、（ｂ）はタイミング生成回路内のカウンタ動作、（ｃ）は水平同期信号Ｈｓｙｎｃ、（ｄ）は書き込みイネーブル信号ＷＥＮ、（ｅ）〜（ｈ）は表示部の各行の垂直シフトパルスＶＳＰ、（ｉ）〜（ｌ）は表示部の各行の画素スイッチパルスＰＳＷ、（ｍ）は反転信号ＲＥＶ、（ｎ）は画素書き込み信号ＷＲ、（ｏ）は対向電位Ｖｃｏｍおよび保持信号ＨＬＤ、を示す。
【００５０】
図６に示す動作は、常に通常動作であるため、図６（ｂ）に示すように、カウンタＣＴＲは常にアクティブとなっている。
【００５１】
図６（ｄ）に示すように、書き込みイネーブル信号ＷＥＮは、タイミング生成回路４により水平同期信号Ｈｓｙｎｃに応じたタイミングで生成され、垂直駆動回路５に供給される。
垂直駆動回路５では、タイミング生成回路４から供給される垂直スタートパルスＶＳＴに応答してシフト動作を開始し、図６（ｅ）〜（ｈ）に示すように、同じくタイミング生成回路４から供給される垂直クロックパルスＶＣＫに同期して１垂直期間に順次転送していく垂直シフトパルスＶＳＰを生成する。
【００５２】
さらに、垂直駆動回路５は、図６（ｉ）〜（ｌ）に示すように、順次転送される垂直シフトパルスＶＳＰと書き込みイネーブル信号ＷＥＮのパルスがともにハイレベルであることを条件としてハイレベルとなる画素スイッチ信号ＰＳＷを生成する。すなわち、画素スイッチ信号ＰＳＷは、垂直シフトパルスＶＳＰと書き込みイネーブル信号ＷＥＮの論理和となっている。
この生成された画素スイッチ信号ＰＳＷは、表示部３２の各行に配線されたゲート線３４に順次出力される。
【００５３】
この垂直駆動回路５による垂直走査により、画素スイッチ信号ＰＳＷが各行のゲート線に順次出力されると、表示部３の各画素が行単位で順に選択される。そして、この選択された１ライン分の画素に対して、水平駆動回路７のＤＡ変換回路から出力される１ライン分の画素書き込み信号ＷＲがデータ線３５を経由して一斉に書き込まれる。
【００５４】
図６（ｍ）〜（ｏ）に示すように、画素書き込み信号ＷＲは、交流駆動される反転信号ＲＥＶ、画素書き込み信号ＷＲ、対向電位Ｖｃｏｍ、保持信号ＨＬＤの各信号の反転が行われない期間に、画素に印加される。
すなわち、図６に示すように、書き込みイネーブル信号ＷＥＮのパルス幅は、垂直シフトパルスＶＳＰのパルス幅よりも狭くなるように設定されているので、これらの論理和である画素スイッチ信号ＰＳＷのパルス幅も、書き込みイネーブル信号ＷＥＮと同様に狭くなるため、画素書き込み信号ＷＲが反転する不安定なタイミングで画素電位が確定してしまう状態が回避されている。
【００５５】
図７は、実施形態に係る液晶表示装置１において、通常動作モードから待機モードに変化した場合の動作を示すタイミングチャートであり、（ａ）は待機モード信号ＳＴＢ、（ｂ）はタイミング生成回路内のカウンタ動作、（ｃ）は水平同期信号Ｈｓｙｎｃ、（ｄ）は書き込みイネーブル信号ＷＥＮ、（ｅ）〜（ｈ）は表示部の各行の垂直シフトパルスＶＳＰ、（ｉ）〜（ｌ）は表示部の各行の画素スイッチパルスＰＳＷ、（ｍ）は反転信号ＲＥＶ、（ｎ）は画素書き込み信号ＷＲ、（ｏ）は対向電位Ｖｃｏｍおよび保持信号ＨＬＤ、を示す。
【００５６】
図７では、時刻ｔ１において、待機モード信号ＳＴＢのレベルが変化し、表示領域から非表示領域へ変化している。この場合に、タイミング生成回路４は、消費電力を低減させるため、時刻ｔ２において内部クロック生成回路４１の水平クロック生成部とカウンタ４２とを停止させる。
水平クロックの生成とカウンタ動作を時刻ｔ１の時点で停止しないのは、反転タイミング調整回路４５における反転タイミングの遅延分を考慮しているためである。
【００５７】
これによって、時刻ｔ２以降に、タイミング生成回路４は、書き込みイネーブル信号ＷＥＮを生成することができなくなる。そのため、図７（ｈ），（ｌ）が示すように、垂直シフトパルスＶＳＰと書き込みイネーブル信号ＷＥＮの論理和である画素スイッチ信号ＰＳＷは、垂直シフトパルスＶＳＰと同一のパルスとなる。
【００５８】
タイミング生成回路４は、待機モード信号ＳＴＢのレベルが「１」から「０」に変化すると、反転信号ＲＥＶを遅延させて出力する。
これにより、基準信号生成回路６は、基準信号ＲＥＦを遅延させて水平駆動回路７に供給し、また、対向・保持信号生成回路８は、保持信号ＨＬＤおよび対向電位Ｖｃｏｍを遅延させて表示部３に供給するため、図７（ｍ）〜（ｏ）に示すように、各信号の交流駆動の反転タイミングが遅延する。
その結果、画素スイッチ信号ＰＳＷのレベル変化のタイミングと画素書き込み信号ＷＲの反転タイミングとが重なり合わず、画素電位が予期しない値に確定するという状態が回避される。したがって、画質の状態が維持される。
【００５９】
図８は、実施形態に係る液晶表示装置１において、通常動作モードから待機モードに変化した場合の各部の動作状態を示すタイミングチャートであり、（ａ）は待機モード信号ＳＴＢ、（ｂ）はマスタクロックＭＣＫ、（ｃ）は水平同期信号Ｈｓｙｎｃ、（ｄ）は水平内部クロックＳ４１＿Ｈ、（ｅ）はカウンタ（ＣＴＲ）４２、（ｆ）は水平駆動信号生成回路４３の出力、（ｇ）は垂直駆動信号生成回路４４の出力、の状態である。
【００６０】
図８に示すように、タイミング生成回路４の内部では、待機モード信号ＳＴＢのレベルが変化した後、内部クロック生成回路４１において水平クロックが停止するとともに、カウンタ４２が停止する。その結果、水平駆動信号生成回路４３の出力が停止する。
したがって、タイミング生成回路４で行う処理のうち多くの処理が停止するため、タイミング生成回路４での消費電力が低減する。
【００６１】
以上説明したように、本実施形態に係る液晶表示装置１によれば、通常動作状態であるか、待機状態であるかを示す待機モード信号に基づいて、待機状態に移行したと判断した場合には、タイミング生成回路４の内部クロックおよびカウンタの動作を停止させるとともに、液晶セルに与える交流信号の反転タイミングを遅延させるように構成したので、以下の効果を得ることができる。
すなわち、タイミング生成回路４の内部クロックおよびカウンタの動作を停止する結果、タイミング生成回路４で消費する電力が低減する。したがって、特に、液晶表示装置１がバッテリ電源により駆動されている場合には、長時間使用が可能となる。
また、内部クロックおよびカウンタを停止させたことに伴って、画素に対する書き込みタイミングを決定する書き込みイネーブル信号ＷＥＮが出力されず、垂直シフトパルスＶＳＰによって書き込みタイミングが規定されることになるが、交流信号の反転タイミングが遅延されることで、画素電位が予期しない値に確定することが回避されて、画品位を維持することができる。
【００６２】
なお、本発明は上述した実施形態に拘泥せず、本発明の要旨を変更しない範囲で様々な改変をなし得るものである。
たとえば、上述した実施形態では、低温ポリシリコン等の絶縁基板上に表示部が駆動回路と一体として実装された液晶表示装置について説明したが、これに限られるものではない。タイミング生成回路、対向・保持信号生成回路、基準信号生成回路は、絶縁基板上に搭載されたシリコン半導体回路によって構成してもよいし、絶縁基板に接続されたフレキシブル基板上にシリコン半導体回路によって構成してもよい。
【図面の簡単な説明】
【００６３】
【図１】本発明に係る表示装置、例えば液晶表示装置の構成例を示すブロック図である。
【図２】通常動作状態および待機状態での表示部の表示状態を図解した図である。
【図３】タイミング生成回路４の構成例を示すブロック図である。
【図４】反転タイミング調整回路において、反転信号ＲＥＶを遅延させる部分の回路構成例を示す図である。
【図５】反転タイミング調整回路において、反転信号ＲＥＶを遅延させる部分の他の回路構成例を示す図である。
【図６】実施形態に係る表示装置において、通常動作モードでの動作を示すタイミングチャートである。
【図７】実施形態に係る表示装置において、通常動作モードから待機モードに変化した場合の動作を示すタイミングチャートである。
【図８】実施形態に係る表示装置において、通常動作モードから待機モードに変化した場合の各部の動作状態を示すタイミングチャートである。
【図９】従来の表示装置において、通常動作モードから待機モードに変化した場合の動作を示すタイミングチャートである。
【図１０】従来の表示装置における画質劣化を説明するための図である。
【符号の説明】
【００６４】
１…液晶表示装置、２…インタフェース回路、３…表示部、４…タイミング生成回路、５…垂直駆動回路、６…基準信号生成回路、７…水平駆動回路、８…対向・保持信号生成回路、９…対向接続電極。
【図１】
2006171301.tif 000003
【図２】
2006171301.tif 000004
【図３】
2006171301.tif 000005
【図４】
2006171301.tif 000006
【図５】
2006171301.tif 000007
【図６】
2006171301.tif 000008
【図７】
2006171301.tif 000009
【図８】
2006171301.tif 000010
【図９】
2006171301.tif 000011
【図１０】
2006171301.tif 000012